(57)【特許請求の範囲】
【請求項１】
四輪式走行の機体（Ｈ）を構成する機体フレーム（１）に、噴霧機（Ａ）、ホース巻取機（Ｄ）、原動機（Ｅ）、及び夫々左右一対の前輪（４Ｌ・４Ｒ）及び後輪（５Ｌ・５Ｒ）を付設する自走式動力噴霧機において、該後輪（５Ｌ・５Ｒ）をホース巻取機（Ｄ）の巻取ドラム（１２）と側面視で一部重複して配置し、前記後輪（５Ｌ・５Ｒ）を巻取ドラム（１２）より機体外側に配置し、該動力噴霧機の機体重心を、前記前輪（４Ｌ・４Ｒ）と後輪（５Ｌ・５Ｒ）の前後略中間に配置すべく構成し、前記左右の前輪（４Ｌ・４Ｒ）は車軸（１３）に固定し、前記後輪（５Ｌ・５Ｒ）は後輪軸（２５・２５）に対して回転自在に構成し、前記後輪（５Ｌ・５Ｒ）を機体前後方向の略中心上に位置すべく構成し、前記左右一対の後輪（５Ｌ・５Ｒ）を支承する支持フレーム（３６）を正面視略Ｕ字状に構成して該機体フレーム（１）に固設し、該支持フレーム（３６）をホース巻取機（Ｄ）の巻取ドラム（１２）の下部を囲む如く構成したことを特徴とする動力噴霧機。
【請求項２】
請求項１記載の動力噴霧機において、前記機体フレーム（１）に操向ハンドル（１５）を回動可能に枢支し、該操向ハンドル（１５）は機体下方へ回動して収納する構成とし、該操向ハンドル（１５）をホース巻取機（Ｄ）の巻取ドラム（１２）より機体外側に配置し、該操向ハンドル（１５）を下方へ回動して折り畳んだ収納時に、平面視において、前記操向ハンドル（１５）の部分と、前記ホース巻取機（Ｄ）が一部重複部分を有することを特徴とする動力噴霧機。
【請求項３】
請求項２記載の動力噴霧機において、前記操向ハンドル（１５）の収納時に、該操向ハンドル（１５）の先端が地面と当接することを特徴とする動力噴霧機。
【請求項４】
請求項３記載の動力噴霧機において、前記操向ハンドル（１５）の把手部先端に弾性体（１４）を装備していることを特徴とする動力噴霧機。
【発明の詳細な説明】
【０００１】
【発明の属する技術分野】
本発明は、走行機体に散布ホースの巻取ドラムを具備した動力噴霧機の構成に関するものであり、詳しくは、走行機体の構成に関するものである。
【０００２】
【従来の技術】
従来、原動機であるエンジン、噴霧機、及び巻取機を走行装置によって駆動する走行機体上に装備し一体的に構成した自走式動力噴霧機が知られている。この従来機の多くは、操向ハンドルに設けられた操向クラッチレバーを操作して走行クラッチをＯＮの状態にし、原動機から走行装置へ動力を伝達し、同じく操向クラッチレバーにより走行クラッチをＯＦＦにして走行装置への動力の伝達を切断し、機体を停止させる仕組みとなっており、操向ハンドルを持って機体の操向を制御している。上述の如く、操向ハンドルは必然であるが、収納時において該操向ハンドルの占有する空間を小さくすることが望ましい。従って、折り畳んで収納可能な操向ハンドルを装備する従来機も知られているが、それらは操向ハンドルが収納された状態であっても、巻取ドラム及び動力噴霧機と操向ハンドル夫々の空間を必要としている。
【０００３】
また、特に四輪式の走行機体においては、前輪と後輪によって機体が支えられているわけであるが、ホース巻取時や繰出時においてホースに引っ張られる形で機体に負荷が掛かるので、このような状態においても十分に固定され、且つ、バランス的に安定した構造の機体でなければ操作上不都合が生じる。そして、走行機体はその性能を維持できる限りコンパクトであることが好ましいのであって、走行機体がコンパクトであれば機体の旋回や、狭い空間での操作等が良好に行える。従って、コンパクトであって、より安定した機体が望まれるのである。
【０００４】
【発明が解決しようとする課題】
本発明は、上述の課題に鑑み、噴霧機、ホース巻取機、及び原動機を夫々左右一対の前輪及び後輪を有する四輪式の走行機体上に構成した自走式動力噴霧機において、コンパクトで操作性が良好であり、且つ、負荷を受けても安定した作業を行うことのできる走行機体を提供しようとするものである。
【０００５】
【課題を解決するための手段】
本発明の解決しようとする課題は以上の如くであり、次に課題を解決するための手段について説明する。
【０００６】
請求項１においては、四輪式走行の機体（Ｈ）を構成する機体フレーム（１）に、噴霧機（Ａ）、ホース巻取機（Ｄ）、原動機（Ｅ）、及び夫々左右一対の前輪（４Ｌ・４Ｒ）及び後輪（５Ｌ・５Ｒ）を付設する自走式動力噴霧機において、該後輪（５Ｌ・５Ｒ）をホース巻取機（Ｄ）の巻取ドラム（１２）と側面視で一部重複して配置し、前記後輪（５Ｌ・５Ｒ）を巻取ドラム（１２）より機体外側に配置し、該動力噴霧機の機体重心を、前記前輪（４Ｌ・４Ｒ）と後輪（５Ｌ・５Ｒ）の前後略中間に配置すべく構成し、前記左右の前輪（４Ｌ・４Ｒ）は車軸（１３）に固定し、前記後輪（５Ｌ・５Ｒ）は後輪軸（２５・２５）に対して回転自在に構成し、前記後輪（５Ｌ・５Ｒ）を機体前後方向の略中心上に位置すべく構成し、前記左右一対の後輪（５Ｌ・５Ｒ）を支承する支持フレーム（３６）を正面視略Ｕ字状に構成して該機体フレーム（１）に固設し、該支持フレーム（３６）をホース巻取機（Ｄ）の巻取ドラム（１２）の下部を囲む如く構成したものである。
【０００７】
請求項２においては、請求項１記載の動力噴霧機において、前記機体フレーム（１）に操向ハンドル（１５）を回動可能に枢支し、該操向ハンドル（１５）は機体下方へ回動して収納する構成とし、該操向ハンドル（１５）をホース巻取機（Ｄ）の巻取ドラム（１２）より機体外側に配置し、該操向ハンドル（１５）を下方へ回動して折り畳んだ収納時に、平面視において、前記操向ハンドル（１５）の部分と、前記ホース巻取機（Ｄ）が一部重複部分を有するものである。
【０００８】
請求項３においては、請求項２記載の動力噴霧機において、前記操向ハンドル（１５）の収納時に、該操向ハンドル（１５）の先端が地面と当接するものである。
【０００９】
請求項４においては、請求項３記載の動力噴霧機において、前記操向ハンドル（１５）の把手部先端に弾性体（１４）を装備しているものである。
【００１０】
【発明の実施の形態】
次に、本発明の実施の形態について説明する。
【００１１】
図１は、本発明に係る四輪式の自走式動力噴霧機の側面図であり、図２は同じく平面図であり、図３は同じく正面図であり、図４は同じく側面図である。
【００１２】
図５はホース巻取機を示す側面図であり、図６はホース巻取機の駆動機構を示す図である。
【００１３】
そして、図７は走行装置の走行駆動機構を示す側面図であり、図８は同じく走行装置におけるクラッチアームを示す図であり、図９は操向ハンドルに設けたストッパーを示す図である。
【００１４】
図１０は四輪式の自走式動力噴霧機の走行機体の前輪及び後輪を示す平面図であり、図１１は同じく後面図である。
【００１５】
そして、図１２は、スタンドとして使用している操向ハンドルを示す図である。
【００１６】
図１乃至図４を用いて、本発明に係る四輪式の自走式動力噴霧機の全体概略構成について説明する。図１乃至図４に示す自走式動力噴霧機は、機体Ｈの機体フレーム１の前部下方に走行装置Ｓにより駆動する左右一対の駆動輪である前輪４Ｌ・４Ｒを、機体フレーム１後部下方に左右一対の転動輪である後輪５Ｌ・５Ｒをそれぞれ配設し、そして、機体フレーム１後部には、散布ホース１１を巻取ドラム１２に巻き取るためのホース巻取機Ｄ、及び、巻取ドラム１２への巻取りの際に散布ホース１１を整列させるための整列装置Ｆ等を配している。また、機体フレーム１の前方の載置板１６上には原動機としてのエンジンＥ、噴霧機Ａ、該噴霧機Ａ及び駆動輪４Ｌ・４Ｒに動力を伝達するための動力伝達機構を内装したベルトケース６、及び、ホース巻取機Ｄを駆動するための巻取駆動装置Ｃを載置しており、一つのエンジンＥの動力はベルトやチェーンによる後述の動力伝達機構を介して分岐されて、噴霧機Ａ、走行装置Ｓ、ホース巻取機Ｄ、及び整列装置Ｆを駆動する。
【００１７】
上記エンジンＥは機体フレーム１前部の一側側方に配置され、該エンジンＥの出力軸２はエンジンＥの側部から水平に突出され、該出力軸２には出力プーリ５３が固定されている。また、噴霧機Ａは、エアチャンバ４９、圧力調整ダイヤル５０、そしてクランクケース７等から構成され、該噴霧機Ａは前記エンジンＥの側部に配設されている。該噴霧機Ａ内部には図示しないクランク軸を左右水平方向に配置しており、エンジンＥと噴霧機Ａの間に位置するベルトケース６内において、該クランク軸のエンジンＥ側には噴霧入力軸３を、そして他方には巻取入力軸８を突設している。そして、噴霧入力軸３上に二連の入力プーリ５２が設けられ、この入力プーリ５２及び上記エンジン出力軸２の出力プーリ５２にはＶベルト６４が巻回されて、両者を連動連結している。従って、エンジンＥの駆動力が噴霧入力軸３に伝達されると、該駆動力は、更に、噴霧機Ａのクランク軸に伝達され、クランクケース７内のプランジャーが往復動され、これにより図示しないタンクから薬液又は水がストレーナ１８で濾過されて吸上口１９より吸い上げられ、吐出口１７より吐出される。吐出口１７には連絡ホース３０の一端が接続され、該連絡ホース３０の他端は上記ホース巻取機Ｄの回転軸１０に接続している。そして、この回転軸１０は連絡ホース３０に対して回転自在にジョイント３０ａで連結され、巻取ドラム１２の中心軸上で散布ホース１１と接続されている。該散布ホース１１の他端にはノズル２９を接続して、散布ホース１１を目的の場所まで引き延ばして先端のノズル２９から薬液等を散布できるようにしている。
【００１８】
また、前記ベルトケース６内において、噴霧機Ａの側部に突出した噴霧入力軸３には、上記入力プーリ５２のみでなく走行入力プーリ５１も嵌装され、該走行入力プーリ５１とそれよりも下方に位置し載置板１６を貫いて設けられている走行駆動プーリ４７との間にベルト６５が巻回されて走行装置Ｓへ動力を伝達している。前記走行装置Ｓは、載置板１６の下に位置する駆動輪である前輪４Ｌ・４Ｒを、エンジンＥの動力により回動させ、機体Ｈを走行させるものである。前記走行駆動プーリ４７は走行駆動軸２７の一端に嵌装されており、一方、該走行駆動軸２７の他端にはスプロケット６２が嵌装され、車軸１３端に固設のスプロケット５９との間にチェーン４６を巻回して走行駆動軸２７から車軸１３へ動力を伝達し、前輪４Ｌ・４Ｒを回動させ、機体Ｈを走行させる。上述の如く構成した走行装置Ｓで走行する機体Ｈ上に、エンジンＥ及び噴霧機Ａからなる動力噴霧機を搭載して自走式動力噴霧機とし、機体Ｈ後部に位置し機体Ｈ中央方向へ折り畳み可能な操向ハンドル１５を操作して進行方向を定めるだけで容易に機体Ｈを移動することができる。
【００１９】
次に、前記ホース巻取機Ｄ及びそれを制御する巻取駆動装置Ｃについて説明する。機体前方の載置板１６上であって、噴霧機Ａの側方に配設されたケース９には巻取駆動装置Ｃが内装され、該巻取駆動装置Ｃは巻取入力軸８、回動カム２０、伝達ローラ２１、及び操作レバー２２等で構成されており、該操作レバー２２で回動カム２０を操作し、伝達ローラ２１を巻取ドラム１２のディスク１２ａに圧接させることで巻取駆動装置Ｃからホース巻取機Ｄへの動力伝達の断接を行っている。
【００２０】
図５に示す如く、前記回動カム２０は、噴霧機Ａから側方に突出した前記巻取入力軸８に回動自在に嵌装されており、該回動カム２０の巻取ドラム１２と反対側では、ケース９に固設のステーとの間にバネ２３が介装されて、回動カム２０は巻取ドラム１２が回動しない方向、即ち、図６のＫで示すブレーキ位置に付勢されている。一方、回動カム２０の巻取ドラム１２側下方にはブレーキシュー２４が装着されており、該回動カム２０がブレーキ位置Ｋに位置するときは、該ブレーキシュー２４が巻取ドラム１２に当接し、摩擦抵抗を与えてブレーキの役割を果たしている。
【００２１】
前記伝達ローラ２１は外周上にゴムが装着され、該伝達ローラ２１と略Ｕ字状に形成された支持プレート４３は支持軸４２に同一軸上で枢支されており、更に、該支持プレート４３は前記回動カム２０に締結部材を軸として枢支されている。そして、該支持軸４２及び締結部材４４間には、ねじりばね２６が巻回されており、回動カム２０がブレーキ位置Ｋにあるときは、伝達ローラ２１が巻取ドラム１２に接触しないよう付勢している。
【００２２】
以上の構成において、操作レバーによる操作により回動カムを図６のＪで示すホース巻取位置まで回動すると、回動カム２０の回動に連動して、伝達ローラ２１も移動し、巻取入力軸８及び巻取ドラム１２に接触する。即ち、伝達ローラ２１が巻取入力軸８と巻取ドラム１２の双方に接触することで、該伝達ローラ２１を介して巻取入力軸８が巻取ドラム１２を回転駆動するのである。
【００２３】
一方、操作レバー２２により図６のＪに示すホース巻取位置より回動カム２０を解除させると、該回動カム２０はバネ２３の付勢力によってブレーキ位置Ｋへ付勢されているため、該ブレーキ位置Ｋまで回動する。回動カム２０がブレーキ位置Ｋに達すると、伝達ローラ２１は巻取入力軸８及び巻取ドラム１２から離れて、ブレーキシュー２４が巻取ドラム１２に接触するようになる。従って、巻取ドラム１２は駆動を遮断され、更に、ブレーキが掛けられることになる。
【００２４】
上述の如く、巻取ドラム１２が回動すると、これに連動して該巻取ドラム１２の回転軸１０も回動する。巻取ドラム１２側部に設けられたチェーンケース６０内において、巻取ドラム１２の回転軸１０には送り駆動スプロケット３４が固定され、一方、該巻取ドラム１２の後上方位置にはホース１１を自動的に整列させながら巻き取るための整列装置Ｆが配設され、巻取ドラム１２上に横架されている該整列装置Ｆの左右送り軸９０端に送り入力スプロケット３３が固定されて、上記送り駆動スプロケット３４と送り入力スプロケット３３との間にはチェーン６１が巻回されて、両者を同期して駆動可能とすべく連動連結している。
【００２５】
上記整列装置Ｆの構成は、上記左右送り軸９０と減速軸９１とに移動ベース９２を装着して、左右送り軸９０を回転させることにより移動ベース９２が左右方向に往復摺動するようにしている。該移動ベース９２上には、回転自在とした図示しない回動支持パイプを介してフレーム９６が設けられ、該フレーム９６にはガイドローラ９４を回動自在に軸支し、巻取ドラム１２から散布ホース１１を、回動支持パイプ内部からガイドローラ９４を介して、ホースガイド９３とガイドローラ９４の間から引き出せるようにしている。
【００２６】
ここで、走行装置Ｓへの動力伝達機構について説明する。図７に示す如く、前記ベルトケース６内において、エンジンＥからの動力が出力プーリ５３、及び、入力プーリ５２に巻回されたＶベルト６４により噴霧入力軸３に伝達され、同じく該噴霧入力軸３に嵌装されている走行入力プーリ５１と走行駆動プーリ４７の間にＶベルト６５が巻回されて、エンジンＥからの動力を噴霧入力軸３を介して、走行駆動軸２７へ伝達している。そして噴霧入力軸３から走行駆動軸２７への動力伝達のためのＶベルト６５にはテンションクラッチが設けられている。
【００２７】
前記テンションクラッチは、クラッチアーム５８に回動自在に支承したテンションローラ５５を、走行入力プーリ５１及び走行駆動プーリ４７に巻回されたＶベルト６５に圧接したり離したりすることで該Ｖベルト６５を弛緩し、動力伝達の断接を操作する仕組みとなっている。前記クラッチアーム５８は回動軸５６に枢設されており、該クラッチアーム５６の回動軸５６に対してテンションローラ５５を支承しているのとは他方において弾性体からなるブレーキシュー５７が設けられている。そして該ブレーキシュー５７の下方で操作ワイヤ３１が接続されており、該操作ワイヤ３１は機体後部の操向ハンドル１５に設けられた操向クラッチレバー３２に連動連結しており、該操向クラッチレバー３２を操作することでクラッチアーム５８が回動軸５６を中心に回動する構成となっている。
【００２８】
前記操作ワイヤ３１が引かれると、クラッチアーム５８が回動して、図８のＭに示す駆動位置へ到達し、従って、テンションローラ５５が走行入力プーリ５１と走行駆動プーリ４７に巻回されたＶベルト６５に圧接し、該Ｖベルト６５が緊張することで動力を伝達する。また、操作ワイヤ３１を緩めると、クラッチアーム５８は図示しない付勢バネにより図８のＱで示すブレーキ位置に到達するよう付勢されているため、該クラッチアーム５８はブレーキ位置Ｑまで回動する。クラッチアーム５８がブレーキ位置Ｑまで到達すると、今度はブレーキシュー５７がＶベルト６５に圧接されることになり、走行駆動軸２７への動力が断絶されるだけでなく、ブレーキシュー５７により摩擦が与えられてブレーキが掛けられて機体の走行が停止することになる。
【００２９】
そして、クラッチアーム５８は前記ブレーキ位置Ｑと駆動位置Ｍの間であるニュートラルゾーンＮに位置することもできる。クラッチアーム５８が前記ニュートラルゾーンＮに位置するためには、機体Ｈ後部の操向ハンドル１５上に位置する操向クラッチレバー３２を完全に握り込むと機体Ｈが走行し、完全に離すと機体Ｈが停止するので、これらの間に操向クラッチレバー３２が位置する、所謂、操向クラッチレバー３２が半握りの状態にしなければならず、このため操向ハンドル１５の操向クラッチレバー３２よりも把手側にストッパーＰを設けている。
【００３０】
前記ストッパーＰは、図９に示す如く、環状であって、その一部に外側へ突出した凸部７２を形成し、さらに、係止ピン７１が嵌入するための溝７４が設けられている。そして、該ストッパーＰは操向ハンドル１５がその中央部の穴を貫通し、同じく操向ハンドルを貫装したバネ７３によって操向ハンドル１５の把手１５ａ側に付勢されており、操向ハンドル１５に固設の係止ピン７１で係止されている。ストッパーＰは操向ハンドル１５上を回動して操向クラッチレバー３２と接する面を切り換えることで、操向クラッチレバー３２を握り込んだ状態において、走行クラッチがＯＮの状態であるか、或いは、ニュートラルの状態であるかを切り換えられるよう構成されている。ストッパーＰを回動させるときは、バネ７３を縮める方向にストッパーＰを押して操向ハンドル１５上を摺動させ、次に該ストッパーＰを回動し、そして、押している手を緩めるとストッパーＰは把手１５ａ方向へ自動的に移動し、再び係止ピン７１で係止される。
【００３１】
走行装置Ｓを駆動させるときは、前記ストッパーＰの凸部７２が操向ハンドル１５の上に位置するよう回動すると、操向クラッチレバー３２を完全に握り込むことができる。一方、走行装置Ｓをニュートラルの状態にするときはストッパーＰの凸部７２が操向ハンドル１５の下に位置するよう該ストッパーＰを回動させ、操向クラッチレバー３２を握り込んでも該操向クラッチレバー３２は完全に握り込まれた状態でなく半握りの状態になるようにしている。即ち、ストッパーＰの凸部７２を操向ハンドル１５と操向クラッチレバー３２の間に噛ませた状態で、目一杯該操向クラッチレバー３２を握り込んだとしても、クラッチアーム５８は駆動位置Ｍまで回動せず、ニュートラルゾーンＮに位置することになる。
【００３２】
次に、上述の走行装置Ｓによって走行する機体Ｈの構成について説明する。本発明に係る機体Ｈは、図１０に示す如く、機体フレーム１前部に配設された載置板１６の略前後中央に、前輪４Ｌ・４Ｒの回動中心である車軸１３が配設され、該前輪４Ｌ・４Ｒは機体フレーム１の左右幅内にほぼ収まっている。そして、上述の走行装置Ｓによって車軸１３が回動して前輪４Ｌ・４Ｒが駆動される。また、後輪５Ｌ・５Ｒは平面視において巻取ドラム１２より外側に、そして、側面視においては該巻取ドラム１２の回動軸１０の斜め前下方に位置するよう設けられている。上述の如く後輪５Ｌ・５Ｒが位置することで、側面視において巻取ドラム１２と後輪５Ｌ・５Ｒが一部重複し、従って、巻取ドラム１２側部の保護カバーの役割を果たしている。また、ホース１１を巻回した巻取ドラム１２は重量物であるため、該巻取ドラム１２近傍であって、その下部を支えることはバランス的に安定した形態であるので、より安定した走行が期待でき、安全性の向上に寄与している。そして、後輪５Ｌ・５Ｒは機体Ｈのやや中央寄りに位置することで、ホース１１は後輪５Ｌ・５Ｒに干渉することなく、巻取ドラム１２に巻取られる。
【００３３】
また、前記後輪５Ｌ・５Ｒは、図１１に示す如く、巻取ドラム１２の下方に機体フレーム１の左右に横架された支持フレーム３６より突設した後輪軸２５・２５に回動自在に支承されており、また、該後輪５Ｌ・５Ｒはその回動を固定されていない、所謂、自由な状態となっている。後輪５Ｌ・５Ｒを正面視略Ｕ字状の支持フレーム３６で支承することにより、機体Ｈの左右方向への剛性を向上させ、また、巻取ドラム１２に巻き取られたホース１１の弛みを防止すると共に、機体Ｈ下部を通過する障害物から保護している。支持フレーム３６は巻取ドラム１２の下部に位置するため、該巻取ドラム１２によって該支持フレーム３６に捻り荷重が掛かることなく、支持フレーム３６はコンパクトな構造であっても十分に役割を果たすことができる。
【００３４】
そして、機体Ｈを旋回させるときは、機体Ｈ後部に位置する操向ハンドル１５を押し下げて、前輪４Ｌ・４Ｒを浮かせ、上述の如く、自由な状態である左右両側の後輪５Ｌ・５Ｒを軸として旋回する。このとき、機体Ｈ後端から後輪５Ｌ・５Ｒまでの距離と後輪５Ｌ・５Ｒから機体Ｈ前端までの距離ができる限り同じであることが望ましく、即ち、図１０に示すＸ、Ｙ及び、機体Ｈの旋回半径がほぼ等しくなることが好ましく、このとき機体Ｈの旋回半径は最小となるので、機体Ｈの操作性が良好となる。本実施例においては、前輪４Ｌ・４Ｒと後輪５Ｌ・５Ｒの回転軸１３・２５・２５の前後方向略中線上に機体Ｈの重心Ｇが位置し、このうちで最も上記Ｘ、Ｙの長さが近似される位置に後輪５Ｌ・５Ｒを配設している。従って、巻取ドラム１２は巻き取られているホース１１の状態により重量が大きく変化し、特に、液体が入ったホース１１を巻き付けているときは非常に重量物であるが、該巻取ドラム１２の前後略中心に後輪５Ｌ・５Ｒが位置することは、巻取ドラム１２の重量が変化しても操向ハンドル１５の操作荷重が殆ど変化せず、機体Ｈを操作しやすい。これに加え、機体Ｈの重心Ｇ位置は前輪４Ｌ・４Ｒ及び後輪５Ｌ・５Ｒ夫々の回転軸１３・２５・２５の前後方向略中線上に位置しているため、前輪４Ｌ・４Ｒのみを接地させるときの操向ハンドル１５の持ち上げ荷重と後輪５Ｌ・５Ｒのみを接地させるときの操向ハンドル１５押し下げ荷重が略同一となり操向ハンドル１５操作荷重の統一を図ることができ、操作性及び取扱性の向上に寄与している。
【００３５】
次に、機体Ｈを操作するための操向ハンドル１５について説明する。前記操向ハンドル１５は、図４に示す如く、パイプを一体的に構成し、機体フレーム１において上方向に折れ曲がるよう形成されたフレームの操向ハンドル配設部１ａに、扇形ステー７６を固設し、該扇形ステー７６に枢支ピン７９で操向ハンドル１５を枢支している。前記扇形ステー７６には操向ハンドル１５に設けられた係止ピン７７を係止するための複数の切り欠きが設けられており、該切り欠きに係止ピン７７で操向ハンドル１５を係止させることで枢支ピン７７を中心に回動自在な操向ハンドル１５を固定している。なお、扇形ステー７６に設けられた切り欠きは、機体Ｈ操行時に使用する上部切り欠き７６ａと、そして、操向ハンドル１５を機体Ｈ中心へ向かって枢支ピン７７を中心として回動させて収納するための下部切り欠き７６ｂが設けられている。このような構成で、係止ピン７７を弛めて、操向ハンドル１５を枢支ピン７７を軸として下方に回動して折り畳んで収納した状態とすると、該収納状態における操向ハンドル１５の一部（下部）は、平面視において、機体フレーム１または巻取ドラム１２と重複するように配設している。
【００３６】
上述の如く、巻取ドラム１２と操向ハンドル１５を平面視において一部重複させることで、操向ハンドル１５収納時に機体Ｈ全長を短く設計することができ、取扱性に優れた構成とすることができ、特に、後輪５Ｌ・５Ｒの後方のデッドスペースに操向ハンドル１５の把手１５ａや操向クラッチレバー３２等を入れ込むことにより機体Ｈの左右幅も広げる必要はない。操向ハンドル１５収納時において、操向ハンドル１５を折り畳んで機体Ｈ全長を短くできるので、トラック搭載時や狭い場所での旋回時等における作業性が良くなり、大きなメリットとなる。
【００３７】
また、図１２に示す如く、操向ハンドル１５収納時において、該操向ハンドル１５が地面に接する長さを有すべく構成してもよく、この場合、該操向ハンドル１５の把手１５ａの先端には弾性体１４が装着されていて、該操向ハンドル１５は機体Ｈのスタンドとして使用できる。上述の如く構成した操向ハンドル１５を枢支ピン７９を中心として機体Ｈ中央へ向けて下方へ回動させ、該操向ハンドル１５を収納した状態としたとき、後輪５Ｌ・５Ｒは地面から離れ、前輪４Ｌ・４Ｒ及び操向ハンドル１５が接地することになる。前述の如く、走行装置Ｓが駆動しない、所謂、機体Ｈが停止している状態において、クラッチアーム５８に固設のブレーキシュー５７によりブレーキが掛けられて前輪４Ｌ・４Ｒは回動を固定され、そして、操向ハンドル１５が接地してスタンドの役割を果たすことで、簡単な構造で機体Ｈ走行停止時のスタンドを構成している。更に、接地している操向ハンドル１５の把手１５ａには、該把手１５ａ先端において弾性体１４が装着されており、該弾性体１４と地面との摩擦により操行ハンドル１５はその位置を固定されて安定性を備え、スタンドとしての役割を十分に果たしている。
【００３８】
【発明の効果】
本発明は、以上の如く構成したので以下のような効果を奏する。
【００３９】
請求項１に記載の如く、四輪式走行の機体（Ｈ）を構成する機体フレーム（１）に、噴霧機（Ａ）、ホース巻取機（Ｄ）、原動機（Ｅ）、及び夫々左右一対の前輪（４Ｌ・４Ｒ）及び後輪（５Ｌ・５Ｒ）を付設する自走式動力噴霧機において、該後輪（５Ｌ・５Ｒ）をホース巻取機（Ｄ）の巻取ドラム（１２）と側面視で一部重複して配置し、前記後輪（５Ｌ・５Ｒ）を巻取ドラム（１２）より機体外側に配置し、該動力噴霧機の機体重心を、前記前輪（４Ｌ・４Ｒ）と後輪（５Ｌ・５Ｒ）の前後略中間に配置すべく構成し、前記左右の前輪（４Ｌ・４Ｒ）は車軸（１３）に固定し、前記後輪（５Ｌ・５Ｒ）は後輪軸（２５・２５）に対して回転自在に構成し、前記後輪（５Ｌ・５Ｒ）を機体前後方向の略中心上に位置すべく構成し、前記左右一対の後輪（５Ｌ・５Ｒ）を支承する支持フレーム（３６）を正面視略Ｕ字状に構成して該機体フレーム（１）に固設し、該支持フレーム（３６）をホース巻取機（Ｄ）の巻取ドラム（１２）の下部を囲む如く構成したので、機体全長を短く構成することができ、取扱性が向上した。また、後輪が巻取ドラム側部をカバーすることで、簡単な構成で巻取ドラムの保護カバーを形成している。
【００４０】
また、前記後輪が巻取ドラムより機体外側に位置すべく構成したので、後輪が側面視において巻取ドラムと一部重複した位置に配設しても、ホースは該後輪に何ら干渉されることなく巻取ドラムに巻き取られる。また、機体の安定性も増す。
【００４１】
また、機体重心が前輪と後輪の前後略中間に位置すべく構成したので、前輪のみを接地して走行するときや、後輪のみを接地させて方向転換するとき等に、操向ハンドルに掛かる荷重がほぼ等しくなり、あらゆる作業におけるハンドル操作荷重の統一を図ることができ、操作性及び取扱性が向上した。
【００４２】
また、前記左右の前輪は車軸に固定し、後輪は車輪軸に対して回転自在に構成し、該後輪を機体前後方向の略中心上に位置すべく構成したので、前輪を地面から浮かせた状態で操向ハンドルを持って機体を旋回させる際に、後輪がその旋回中心となるが、旋回半径が最小となるので狭い空間での旋回が良好に行えるようになった。
【００４３】
また、前記左右一対の後輪を支承する支持フレームを正面視略Ｕ字状に構成して機体フレームに固設し、該支持フレームをホース巻取機の巻取ドラムの下部を囲む如く構成したので、車輪の剛性を向上するだけでなく、ホースの弛みを防止し、そして、巻取ドラムに巻き取られたホースの下部に位置するので簡単な構成でホースの保護をしている。
【００４４】
請求項２に記載の如く、請求項１記載の動力噴霧機において、前記機体フレーム（１）に操向ハンドル（１５）を回動可能に枢支し、該操向ハンドル（１５）は機体下方へ回動して収納する構成とし、該操向ハンドル（１５）をホース巻取機（Ｄ）の巻取ドラム（１２）より機体外側に配置し、該操向ハンドル（１５）を下方へ回動して折り畳んだ収納時に、平面視において、前記操向ハンドル（１５）の部分と、前記ホース巻取機（Ｄ）が一部重複部分を有するので、ホース巻取径が増大しても、操向ハンドルがホース及び巻取ドラムに干渉することが無く、一つの機体フレームで様々な長さのホースに対応することができるのである。
【００４５】
また、ハンドル収納時に平面視において操向ハンドルの一部と、巻取ドラムが一部重複部分を有すべく構成したので、操向ハンドル収納時の機体全長を従来機と比して短縮することができ、更なるコンパクト化を図ることができた。
【００４６】
請求項３に記載の如く、請求項２記載の動力噴霧機において、前記操向ハンドル（１５）の収納時に、該操向ハンドル（１５）の先端が地面と当接すべく構成したので、操向ハンドルを機体収納時や停止時においてスタンドとして利用できるので、別部材を設けずとも簡単な構成でスタンドを設けることができるので、従って、部材点数の削減を可能とし、機体のコンパクト化及びコストダウンに寄与するのである。
【００４７】
請求項４に記載の如く、請求項３記載の動力噴霧機において、前記操向ハンドル（１５）の把手部先端に弾性体（１４）を装備しているので、操向ハンドルを機体のスタンドとして使用したときに、該弾性体と地面との摩擦により操向ハンドルがブレーキスタンドとして地面に接している位置から移動することを防止し、安全で確実なブレーキ構造が実現するのである。
【図面の簡単な説明】
【図１】  本発明に係る自走式動力噴霧機の側面図である。
【図２】  同じく平面図である。
【図３】  同じく正面図である。
【図４】  同じく側面図である。
【図５】  ホース巻取機を示す側面図である。
【図６】  ホース巻取機の駆動機構を示す図である。
【図７】  走行装置の走行駆動機構を示す側面図である。
【図８】  同じく走行装置におけるクラッチアームを示す図である。
【図９】  操向ハンドルに設けたストッパーを示す図である。
【図１０】  四輪式の自走式動力噴霧機の走行機体の前輪及び後輪を示す平面図である。
【図１１】  同じく後面図である。
【図１２】  スタンドとして使用している操向ハンドルを示す図である。
【符号の説明】
Ａ  噴霧機
Ｄ  ホース巻取機
Ｅ  原動機
Ｇ  走行装置
Ｈ  走行機体
４Ｌ・４Ｒ  前輪
５Ｌ・５Ｒ  後輪
１２  巻取ドラム
１４  弾性体
１５  操向ハンドル
１５ａ  把手
３６  支持フレーム
【図１】
0004540192.tif 000002
【図２】
0004540192.tif 000003
【図３】
0004540192.tif 000004
【図４】
0004540192.tif 000005
【図５】
0004540192.tif 000006
【図６】
0004540192.tif 000007
【図７】
0004540192.tif 000008
【図８】
0004540192.tif 000009
【図９】
0004540192.tif 000010
【図１０】
0004540192.tif 000011
【図１１】
0004540192.tif 000012
【図１２】
0004540192.tif 000013